(57)【要約】【課題】コストの増加及び作業性の悪化を抑制しつつ棚柱から壁の下地材を見えにくくする。【解決手段】壁２の下地材９に被覆テープ１１を配置する被覆テープ配置工程と、被覆テープ１１上から壁２に棚柱３を取り付ける棚柱取付工程と、被覆テープ配置工程及び棚柱取付工程の後、壁２に化粧材１０を貼り付ける化粧材貼付工程と、を備え、棚柱取付工程では、壁２と垂直な方向から見て被覆テープ１１と係止孔７とが重なるように、棚柱３を壁に取り付ける。【選択図】図５
2019162290.tif 000002
【特許請求の範囲】
【請求項１】
複数の係止孔が設けられて壁に取り付けられる棚柱と、何れかの前記係止孔に係止される棚受部材と、前記係止孔に係止された前記棚受部材に載置される棚板と、を備える棚システムの、前記棚柱を前記壁に取り付ける棚柱の取付方法であって、
前記壁の下地材上に被覆テープを配置する被覆テープ配置工程と、
前記被覆テープ上から前記壁に棚柱を取り付ける棚柱取付工程と、
前記被覆テープ配置工程及び棚柱取付工程の後、前記壁に化粧材を配置する化粧材貼付工程と、を備え、
前記棚柱取付工程では、前記壁と垂直な方向から見て前記被覆テープと前記係止孔とが重なるように、前記棚柱を前記壁に取り付ける、
棚柱の取付方法。
【請求項２】
前記被覆テープの幅は、前記棚柱の幅よりも狭く、
前記棚柱取付工程では、前記被覆テープが前記棚柱からはみ出ないように、前記棚柱を前記壁に取り付ける、
請求項１に記載の棚柱の取付方法。
【請求項３】
前記被覆テープの幅は、前記棚柱の幅よりも広く、
前記棚柱取付工程では、前記被覆テープの幅方向両端が前記棚柱からはみ出るように、前記棚柱を前記壁に取り付ける、
請求項１に記載の棚柱の取付方法。
【発明の詳細な説明】
【技術分野】
【０００１】
本発明は、棚柱の取付方法に関する。
【背景技術】
【０００２】
従来から、対向する一対の壁に棚を設置するための棚システムが知られている。この棚システムは、複数の係止孔が設けられた棚柱を壁に取り付け、棚柱の何れかの係止孔に棚受部材を係止し、係止孔に係止された棚受部材に棚板を載置するものである。このような棚システムでは、壁に化粧材を貼り付ける前に、壁に棚柱を取り付ける場合がある。このような場合、棚柱と壁との間に化粧材が貼り付けられないため、棚柱の係止孔から壁の下地材が見えるという問題がある。
【０００３】
このような問題に関して、特許文献１には、棚柱の断面形状を特殊なＭ字状とし、その対向する一対の側壁の間に化粧板（底板）を嵌め込むことで、棚柱を壁に取り付けるネジを隠蔽し、その対向する一対の側壁に係止孔を設けることで、係止孔から壁の下地材が見えないようにすることが記載されている。
【先行技術文献】
【特許文献】
【０００４】
【特許文献１】特開２０１１−０７２５５１号公報
【発明の概要】
【発明が解決しようとする課題】
【０００５】
しかしながら、特許文献１に記載された技術では、棚柱を特殊な形状とする必要があるため、棚柱の製造コストが高くなるという問題がある。また、施工時は、棚柱の一対の側壁の間の狭い空間に化粧板を嵌め込む必要があり、メンテナンス時は、棚柱の一対の側壁の間に嵌め込まれた化粧板を取り外す必要があるため、作業性が悪いという問題がある。また、係止孔が見え難いため、棚の位置を変更する際の棚受部材（棚受け具）の差し替えが煩雑になるという問題がある。また、化粧板により棚柱が二重構造になることで、棚柱が厚くなるため、重量が増大するとともに意匠性が低下するという問題がある。
【０００６】
そこで、本発明は、コストの増加及び作業性の悪化を抑制しつつ棚柱から壁の下地材を見えにくくすることができる棚柱の取付方法を提供することを課題とする。
【課題を解決するための手段】
【０００７】
本発明に係る棚柱の取付方法は、複数の係止孔が設けられて壁に取り付けられる棚柱と、何れかの係止孔に係止される棚受部材と、係止孔に係止された棚受部材に載置される棚板と、を備える棚システムの、棚柱を壁に取り付ける棚柱の取付方法であって、壁の下地材上に被覆テープを配置する被覆テープ配置工程と、被覆テープ上から壁に棚柱を取り付ける棚柱取付工程と、被覆テープ配置工程及び棚柱取付工程の後、壁に化粧材を貼り付ける化粧材貼付工程と、を備え、棚柱取付工程では、壁と垂直な方向から見て被覆テープと係止孔とが重なるように、棚柱を壁に取り付ける。
【０００８】
この棚柱の取付方法では、壁に棚柱を取り付けた後に壁に化粧材を貼り付けるため、棚柱と壁との間には化粧材が貼り付けられないが、壁に棚柱を取り付ける前に壁の下地材上に被覆テープを配置するため、係止孔から見た場合に、壁の下地材を被覆テープで隠すことができる。これにより、棚柱から壁の下地材を見えにくくすることができる。しかも、棚柱を特許文献１のような特殊な形状とする必要がないため、コストの増加を抑制することができる。また、棚柱に特許文献１のような化粧板を取り付ける必要がないため、作業性の悪化を抑制することができる。なお、棚柱取付工程は、被覆テープ配置工程の後に行ってもよく、被覆テープ配置工程と一緒に行ってもよい。
【０００９】
被覆テープの幅は、棚柱の幅よりも狭く、棚柱取付工程では、被覆テープが棚柱からはみ出ないように、棚柱を壁に取り付けてもよい。この棚柱の取付方法では、被覆テープの幅が棚柱の幅よりも狭いため、被覆テープにより棚柱の位置出しを行うことができる。しかも、被覆テープが棚柱からはみ出ないため、化粧材を被覆テープと重ならないように貼り付けることができる。これにより、壁に対する化粧材の接着性を向上することができるとともに、化粧材に段差が生じるのを抑制することができる。
【００１０】
被覆テープの幅は、棚柱の幅よりも広く、棚柱取付工程では、被覆テープの幅方向両端が棚柱からはみ出るように、棚柱を壁に取り付けてもよい。この棚柱の取付方法では、被覆テープの幅が棚柱の幅よりも広いため、被覆テープの位置精度を高くしなくても、係止孔から見た場合に、壁の下地材を被覆テープで隠すことができる。しかも、被覆テープの幅方向両端を棚柱からはみ出させるため、係止孔から見た場合に、被覆テープで下地材を完全に隠すことができる。また、被覆テープの棚柱からはみ出た部分に化粧材を重ねることで、棚柱の周囲において壁の下地材が露出するのを抑制することができる。
【発明の効果】
【００１１】
本発明によれば、コストの増加及び作業性の悪化を抑制しつつ棚柱から壁の下地材を見えにくくすることができる。
【図面の簡単な説明】
【００１２】
【図１】第一実施形態に係る棚の取付方法を適用する棚システムの斜視図である。
【図２】図２（ａ）は、棚システムの平面図、図２（ｂ）は、棚システムの正面図である。
【図３】棚システムの縦断面図である。
【図４】棚柱から壁を見た図である。
【図５】図４に示すＶ−Ｖ線における断面図である。
【図６】第一実施形態に係る棚柱の取付方法を説明するための図であり、図６（ａ）は正面図、図６（ｂ）は図６（ａ）のｂ−ｂ線における断面図である。
【図７】第一実施形態に係る棚柱の取付方法を説明するための図であり、図７（ａ）は正面図、図７（ｂ）は図７（ａ）のｂ−ｂ線における断面図である。
【図８】第一実施形態に係る棚柱の取付方法を説明するための図であり、図８（ａ）は正面図、図８（ｂ）は図８（ａ）のｂ−ｂ線における断面図である。
【図９】第二実施形態に係る棚の取付方法を適用する棚システムの、図５に対応する断面図である。
【図１０】第二実施形態に係る棚柱の取付方法を説明するための図であり、図１０（ａ）は正面図、図１０（ｂ）は図１０（ａ）のｂ−ｂ線における断面図である。
【図１１】第二実施形態に係る棚柱の取付方法を説明するための図であり、図１１（ａ）は正面図、図１１（ｂ）は図１１（ａ）のｂ−ｂ線における断面図である。
【図１２】第二実施形態に係る棚柱の取付方法を説明するための図であり、図１２（ａ）は正面図、図１２（ｂ）は図１２（ａ）のｂ−ｂ線における断面図である。
【図１３】第三実施形態に係る棚柱の取付方法に用いる棚柱を示す斜視図である。
【図１４】第四実施形態に係る棚柱の取付方法に用いる棚柱を示す斜視図である。
【図１５】第四実施形態に係る棚柱の取付方法を説明するための図であり、図１５（ａ）は正面図、図１５（ｂ）は図１５（ａ）のｂ−ｂ線における断面図である。
【図１６】第四実施形態に係る棚柱の取付方法を説明するための図であり、図１６（ａ）は正面図、図１６（ｂ）は図１６（ａ）のｂ−ｂ線における断面図である。
【図１７】第四実施形態に係る棚柱の取付方法を説明するための図であり、図１７（ａ）は正面図、図１７（ｂ）は図１７（ａ）のｂ−ｂ線における断面図である。
【発明を実施するための形態】
【００１３】
以下、図面を参照して、実施形態の棚柱の取付方法について詳細に説明する。なお、全図中、同一または相当部分には同一符号を付し、重複する説明を省略する。
【００１４】
［第一実施形態］
まず、図１〜図３を参照して、本実施形態の棚柱の取付方法が適用される棚システムについて説明する。
【００１５】
図１及び図２に示すように、棚システム１は、対向する一対の壁２に取り付けられるものである。棚システム１は、棚柱３と、棚受部材４と、棚板５と、を備える。
【００１６】
図１〜図５に示すように、棚柱３は、壁２に取り付けられる部材である。本実施形態では、棚システム１は、一方の壁２に取り付けられる２本の棚柱３と、他方の壁２に取り付けられる２本の棚柱３と、を備える。棚柱３は、長尺部材であり、上下方向に延びるように壁２に取り付けられる。棚柱３は、対向する一対の側板３ａ，３ａと、一対の側板３ａ，３ａを接続する背板３ｂと、により断面がコ字状に形成されている。棚柱３の背板３ｂには、複数のネジ孔６と、複数の係止孔７と、が設けられている。
【００１７】
ネジ孔６は、棚柱３を壁２に取り付けるためのネジ８を挿入するための孔である。棚柱３は、ネジ孔６に挿入したネジ８を壁２にねじ込むことで、壁２に取り付けられる。
【００１８】
係止孔７は、棚受部材４を係止するための孔である。係止孔７は、円形孔部７ａと、円形孔部７ａの下部から延びる矩形のスリット７ｂと、を有する。複数の係止孔７は、棚柱３の延在方向に沿って一列に配置されている。複数の係止孔７の間隔は、特に限定されないが、等間隔であることが好ましい。
【００１９】
図１〜図３に示すように、棚受部材４は、棚柱３の何れかの係止孔７に係止されて、棚板５を載置する部材である。棚受部材４は、円柱状の棚板載置部４ａと、円柱状の頭部４ｂと、棚板載置部４ａと頭部４ｂとを接続する首部４ｃと、を有する。棚受部材４は、頭部４ｂを係止孔７の円形孔部７ａに差し込み、首部４ｃをスリット７ｂに挿入し、頭部４ｂを背板３ｂの裏側から引っ掛けることにより、係止孔７に係止される。そして、４本の棚柱３の同じ高さに設けられた係止孔７に、それぞれ棚受部材４が係止される。
【００２０】
棚板５は、各棚柱３の係止孔７に係止された棚受部材４に載置される部材である。棚板５の底面には、例えば、棚受部材４が嵌まり込む半円状の凹部（不図示）が形成されていてもよい。
【００２１】
図３〜図５に示すように、壁２の下地材９には、化粧材１０が貼り付けられている。下地材９は、石膏ボード、合板等のボード材である。化粧材１０は、下地材９の表面に貼り付けられるものであり、例えば、壁紙、化粧シート等のシート材である、化粧材１０は、棚柱３を避けるように棚柱３の周囲の壁２に貼り付けられている。
【００２２】
下地材９上の棚柱３と対向する位置には、被覆テープ１１が配置されている。被覆テープ１１は、長尺のテープ状に形成されており、下地材９上に配置されることで、下地材９を被覆する。被覆テープ１１の幅は、棚柱３の幅よりも狭くなっている。この場合、被覆テープ１１の幅は、棚柱３の一対の側板３ａ，３ａの離間距離よりも狭くてもよく、当該離間距離よりも広くてもよい。被覆テープ１１は、棚柱３からはみ出ないように、上下方向に延びるように壁２の下地材９上に配置されており、棚柱３は、この被覆テープ１１上から壁２に取り付けられている。本実施形態では、下地材９に被覆テープ１１が貼り付けられることで、下地材９上に被覆テープ１１が配置されている。被覆テープ１１の素材、色等は、特に限定されないが、化粧材１０と同じ素材、色等であることが好ましい。なお、被覆テープ１１は、巻芯に巻回された巻回体としておくことで、施工現場にて適切な長さに切断することができる。
【００２３】
次に、第一実施形態に係る棚柱の取付方法について説明する。
【００２４】
本実施形態に係る棚柱の取付方法は、被覆テープ配置工程と、被覆テープ配置工程の後に行う棚柱取付工程と、棚柱取付工程の後に行う化粧材貼付工程と、を備える。
【００２５】
被覆テープ配置工程では、図６に示すように、壁２の下地材９上に被覆テープ１１を配置する。詳しく説明すると、被覆テープ配置工程では、被覆テープ１１が後工程で壁２に取り付ける棚柱３と対向するように、被覆テープ１１を上下方向に延ばして下地材９上に配置する。被覆テープ１１の下地材９上への配置は、例えば、被覆テープ１１の一方の面に接着剤層又は粘着剤層が形成された被覆テープ１１を用意し、この接着剤層又は粘着剤層により被覆テープ１１を下地材９に貼り付けることにより行う。なお、下地材９上に被覆テープ１１が配置された状態を保持することができれば、必ずしも下地材９に被覆テープ１１を貼り付けなくてもよい。下地材９上に配置する被覆テープ１１としては、その幅が、後工程で壁２に取り付ける棚柱３の幅よりも狭いものを用いる。なお、被覆テープ１１が長い場合は、施工現場にて被覆テープ１１を適切な長さに切断すればよい。
【００２６】
棚柱取付工程では、図７に示すように、被覆テープ１１上から壁２に棚柱３を取り付ける。詳しく説明すると、棚柱取付工程では、棚柱３を被覆テープ１１に沿うように上下方向に延ばす。そして、壁２と垂直な方向から見て被覆テープ１１と係止孔７とが重なるとともに、被覆テープ１１が棚柱３からはみ出ないように、棚柱３を配置する。このとき、棚柱３の側板３ａと下地材９との間に被覆テープ１１が挟み込まれるように棚柱３を配置してもよいが、棚柱３の側板３ａと下地材９との間に被覆テープ１１が挟み込まれないように棚柱３を配置することが好ましい。そして、この状態で、ネジ孔６に挿入したネジ８を壁２にねじ込み、壁２に棚柱３を取り付ける。なお、棚柱３が長い場合は、施工現場にて棚柱３を適切な長さに切断すればよい。
【００２７】
化粧材貼付工程では、図８に示すように、壁２に化粧材１０を貼り付ける。詳しく説明すると、化粧材貼付工程では、棚柱３を避けるように棚柱３の周囲の壁２に化粧材１０を貼り付ける。このとき、化粧材１０と棚柱３との間に隙間が生じないように、化粧材１０を貼り付ける。
【００２８】
このように、本実施形態に係る棚柱の取付方法では、壁２に棚柱３を取り付けた後に壁２に化粧材１０を貼り付けるため、棚柱３と壁２との間には化粧材１０が貼り付けられないが、壁２に棚柱３を取り付ける前に壁２の下地材９上に被覆テープ１１を配置するため、係止孔７から見た場合に、壁２の下地材９を被覆テープ１１で隠すことができる。これにより、棚柱３から壁２の下地材９を見えにくくすることができる。しかも、棚柱３を特許文献１のような特殊な形状とする必要がないため、コストの増加を抑制することができる。また、棚柱３に特許文献１のような化粧板を取り付ける必要がないため、作業性の悪化を抑制することができる。
【００２９】
また、棚柱３として、特許文献１のような特殊な形状にする必要がなく、従来から用いられている一般的な断面コ字状のものを用いることができる。
【００３０】
また、棚柱３を特許文献１のような二重構造としないため、係止孔７が見やすくなるとともに、棚柱３を薄くすることができる。これにより、棚板５の高さ位置を変更する際の棚受部材４の差し替えを容易に行うことができるとともに、棚柱３の重量の増大及び意匠性の低下を抑制することができる。
【００３１】
また、被覆テープ１１の幅が棚柱３の幅よりも狭いため、被覆テープ１１により棚柱３の位置出しを行うことができる。しかも、被覆テープ１１が棚柱３からはみ出ないため、化粧材１０を被覆テープ１１と重ならないように貼り付けることができる。これにより、壁２に対する化粧材１０の接着性を向上することができるとともに、化粧材１０に段差が生じるのを抑制することができる。
【００３２】
［第二実施形態］
第二実施形態は、被覆テープ１１の幅が棚柱３の幅よりも広くなっている点のみ、第一実施形態と相違する。このため、以下では、第一実施形態と相違する事項のみを説明し、第一実施形態と同様の説明を省略する。
【００３３】
図９に示すように、第二実施形態では、被覆テープ１１の幅は、棚柱３の幅よりも広くなっている。そして、被覆テープ１１の幅方向両端が棚柱３からはみ出ており、被覆テープ１１の棚柱３からはみ出た部分の上にも、化粧材１０が貼り付けられている。
【００３４】
次に、第二実施形態に係る棚柱の施工方法について説明する。
【００３５】
本実施形態に係る棚柱の取付方法は、第一実施形態と同様に、被覆テープ配置工程と、被覆テープ配置工程の後に行う棚柱取付工程と、棚柱取付工程の後に行う化粧材貼付工程と、を備える。
【００３６】
被覆テープ配置工程では、図１０に示すように、壁２の下地材９上に被覆テープ１１を配置する。詳しく説明すると、被覆テープ配置工程では、被覆テープ１１が後工程で壁２に取り付ける棚柱３と対向するように、被覆テープ１１を上下方向に延ばして下地材９上に配置する。被覆テープ１１の下地材９上への配置は、例えば、第一実施形態と同様に被覆テープ１１を下地材９に貼り付けることにより行う。このとき、下地材９上に配置する被覆テープ１１としては、その幅が、後工程で壁２に取り付ける棚柱３の幅よりも広いものを用いる。
【００３７】
棚柱取付工程では、図１１に示すように、被覆テープ１１上から壁２に棚柱３を取り付ける。詳しく説明すると、棚柱取付工程では、棚柱３を被覆テープ１１に沿うように上下方向に延ばす。そして、被覆テープ１１の幅方向両端が棚柱３からはみ出るように、棚柱３を配置する。このため、棚柱３の一対の側板３ａ，３ａと下地材９との間に、被覆テープ１１が挟み込まれる。そして、この状態で、ネジ孔６に挿入したネジ８を壁２にねじ込み、壁２に棚柱３を取り付ける。
【００３８】
化粧材貼付工程では、図１２に示すように、壁２に化粧材１０を貼り付ける。詳しく説明すると、化粧材貼付工程では、棚柱３を避けるように棚柱３の周囲の壁２に化粧材１０を貼り付ける。このとき、被覆テープ１１の棚柱３からはみ出た部分に、化粧材１０を重ね合わせて、化粧材１０を貼り付ける。
【００３９】
このように、本実施形態に係る棚柱の取付方法では、被覆テープ１１の幅が棚柱３の幅よりも広いため、被覆テープ１１の位置精度を高くしなくても、係止孔７から見た場合に、壁２の下地材９を被覆テープ１１で隠すことができる。しかも、被覆テープ１１の幅方向両端を棚柱３からはみ出させるため、係止孔７から見た場合に、被覆テープ１１で下地材９を完全に隠すことができる。また、被覆テープ１１の棚柱３からはみ出た部分に化粧材１０を重ねることで、棚柱３の周囲において壁２の下地材９が露出するのを抑制することができる。
【００４０】
［第三実施形態］
第三実施形態は、棚柱３に保護フィルムが貼り付けられている点のみ、第一実施形態と相違する。このため、以下では、第一実施形態と相違する事項のみを説明し、第一実施形態と同様の説明を省略する。
【００４１】
図１３に示すように、棚柱３には、保護フィルム１２が貼り付けられている。保護フィルム１２は、棚柱３の汚れを防止するものであり、棚柱３に対して剥離可能に貼り付けられている。上述したように、化粧材貼付工程では、棚柱３の周囲の壁２に化粧材１０を貼り付ける。このため、壁２に化粧材１０を貼り付けるための糊が棚柱３に付着する可能性がある。そこで、本実施形態では、このような糊が棚柱３に付着するのを防止するために、棚柱３に保護フィルム１２を貼り付けておく。具体的には、保護フィルム１２は、棚柱３の一対の側板３ａ，３ａ及び背板３ｂの外側の三面に貼り付けられている。
【００４２】
そして、棚柱取付工程では、保護フィルム１２が貼り付けられた棚柱３を壁２に取り付け、化粧材貼付工程が終了した後に、棚柱３から保護フィルム１２を剥離する。
【００４３】
このように、本実施形態に係る棚柱の取付方法では、棚柱３に保護フィルム１２が貼り付けられているため、化粧材貼付工程において、壁２に化粧材１０を貼り付けるための糊が棚柱３自体に付着するのを抑制することができる。たとえ、当該糊が棚柱３に付着しても、壁２に化粧材１０を貼り付けた後に棚柱３から保護フィルム１２を剥離することで、棚柱３から当該糊を容易に取り除くことができる。
【００４４】
［第四実施形態］
第四実施形態は、棚柱３に保護フィルムが巻かれている点、この保護フィルムの一部が被覆テープとなる点、被覆テープ配置工程と棚柱取付工程とを一緒に行う点のみ、第一実施形態と相違する。このため、以下では、第一実施形態と相違する事項のみを説明し、第一実施形態と同様の説明を省略する。
【００４５】
図１４に示すように、棚柱３には、保護フィルム１３が巻かれている。そして、保護フィルム１３の一部が、被覆テープとなる。詳しく説明すると、保護フィルム１３は、表面保護部１３ａと、裏面保護部１３ｂと、を備える。
【００４６】
表面保護部１３ａは、第三実施形態の保護フィルム１２と同様に、棚柱３の汚れを防止するために棚柱３の外側の面を保護する部位である。このため、表面保護部１３ａは、棚柱３の一対の側板３ａ，３ａ及び背板３ｂの外側の三面を覆っている。なお、表面保護部１３ａは、第三実施形態の保護フィルム１２と同様に、棚柱３の一対の側板３ａ，３ａ及び背板３ｂの外側の三面に貼り付けられていてもよい。
【００４７】
裏面保護部１３ｂは、壁２の下地材９上に配置されるとともに、その上から壁２に棚柱３が取り付けられる被覆テープとなる部位である。このため、保護フィルム１３は、特に裏面保護部１３ｂは、化粧材１０と同じ素材、色等であることが好ましい。裏面保護部１３ｂは、一対の側板３ａ，３ａの背板３ｂとは反対側の端面と、一対の側板３ａ，３ａの間の空間と、を覆っている。なお、裏面保護部１３ｂは、一対の側板３ａ，３ａの背板３ｂとは反対側の端面に貼り付けられていてもよい。
【００４８】
そして、保護フィルム１３の表面保護部１３ａと裏面保護部１３ｂとの境界又は当該境界付近に、表面保護部１３ａと裏面保護部１３ｂとを分離するためのミシン目１３ｃが形成されている。本実施形態では、表面保護部１３ａと裏面保護部１３ｂとの境界よりも表面保護部１３ａ側にミシン目１３ｃが形成されている。
【００４９】
次に、第四実施形態に係る棚柱の施工方法について説明する。
【００５０】
本実施形態に係る棚柱の取付方法は、被覆テープ配置工程と被覆テープ配置工程とを一緒に行い、その後に化粧材貼付工程を行う。
【００５１】
被覆テープ配置工程及び被覆テープ配置工程では、図１５に示すように、保護フィルム１２が巻かれた棚柱３を壁２の下地材９に取り付ける。これにより、壁２の下地材９上に保護フィルム１３の裏面保護部１３ｂが配置されるとともに、保護フィルム１３の裏面保護部１３ｂ上から壁２に棚柱３が取り付けられた状態となる。また、棚柱３の一対の側板３ａ，３ａと下地材９との間に保護フィルム１３の裏面保護部１３ｂが挟み込まれた状態となる。
【００５２】
化粧材貼付工程では、図１６に示すように、棚柱３を避けるように棚柱３の周囲の壁２に化粧材１０を貼り付ける。その後、図１７に示すように、保護フィルム１３をミシン目１３ｃで切断するとともに、棚柱３から保護フィルム１３の表面保護部１３ａを剥離して除去する。このとき、裏面保護部１３ｂは、棚柱３の一対の側板３ａ，３ａと下地材９との間に挟み込まれているため、表面保護部１３ａを除去しても、裏面保護部１３ｂは下地材９上から脱落しない。
【００５３】
このように、本実施形態に係る棚柱の取付方法では、棚柱３に保護フィルム１３が巻き付けられているため、化粧材貼付工程において、壁２に化粧材１０を貼り付けるための糊が棚柱３自体に付着するのを抑制することができる。たとえ、当該糊が棚柱３に付着しても、壁２に化粧材１０を貼り付けた後に棚柱３から保護フィルム１３の表面保護部１３ａを除去することで、棚柱３から当該糊を容易に取り除くことができる。
【００５４】
また、棚柱３に巻きつけられた保護フィルム１３の裏面保護部１３ｂが被覆テープとなるため、当該棚柱３を壁２に取り付けることで、被覆テープ配置工程及び被覆テープ配置工程の双方を行うことができる。これにより、作業工程の削減を図ることができる。
【００５５】
以上、本発明の好適な実施形態について説明したが、本発明は上記実施形態に限定されるものではなく、適宜変更することができる。
【００５６】
例えば、上記実施形態では、棚システムは４本の棚柱を備えるものとして説明したが、棚柱の数、配置等は特に限定されるものではない。また、棚柱が取り付けられる壁は、建物の壁であってもよく、収納棚等の家具の壁であってもよい。
【００５７】
ところで、被覆テープ１１が薄すぎると、下地材９上に被覆テープ１１を配置する際に被覆テープ１１が歪みやすくなる。一方、被覆テープ１１が厚すぎると、背板３ｂと壁２との間に棚受部材４の頭部４ｂを嵌め込むスペースが無くなってしまう。そこで、被覆テープ１１の歪みを抑制しつつ、背板３ｂと壁２との間に適切なスペースを確保する観点から、被覆テープ１１の厚さを設定することが好ましい。
【００５８】
また、被覆テープ１１が棚柱３と壁２とにより挟み込まれる場合、被覆テープ１１が適度に厚いと、被覆テープ１１の厚さ方向の弾性力により、ネジ８が緩むのを抑制することができる。また、ネジ８の軸力等により棚柱３が湾曲したとしても、被覆テープ１１が棚柱３と壁との間に生じる隙間を小さくすることができる。
【００５９】
これらの観点から、被覆テープ１１の幅が棚柱３の幅よりも狭い場合、被覆テープ１１の厚みは、０．０３ｍｍ以上０．７ｍｍ以下であることが好ましく、０．０７ｍｍ以上０．７ｍｍ以下であることが更に好ましく、０．１ｍｍ以上０．７ｍｍ以下であることが特に好ましい。一方、被覆テープ１１の幅が棚柱３の幅よりも広い場合、被覆テープ１１の厚みは、０．０３ｍｍ以上３ｍｍ以下であることが好ましく、０．０７ｍｍ以上２ｍｍ以下であることが更に好ましく、０．１ｍｍ以上１ｍｍ以下であることが特に好ましい。
【符号の説明】
【００６０】
１…棚システム、２…壁、３…棚柱、３ａ，３ａ…側板、３ｂ…背板、４…棚受部材、４ａ…棚板載置部、４ｂ…頭部、４ｃ…首部、５…棚板、６…ネジ孔、７…係止孔、７ａ…円形孔部、７ｂ…スリット、８…ネジ、９…下地材、１０…化粧材、１１…被覆テープ、１２…保護フィルム、１３…保護フィルム、１３ａ…表面保護部、１３ｂ…裏面保護部、１３ｃ…ミシン目。
【図１】
2019162290.tif 000003
【図２】
2019162290.tif 000004
【図３】
2019162290.tif 000005
【図４】
2019162290.tif 000006
【図５】
2019162290.tif 000007
【図６】
2019162290.tif 000008
【図７】
2019162290.tif 000009
【図８】
2019162290.tif 000010
【図９】
2019162290.tif 000011
【図１０】
2019162290.tif 000012
【図１１】
2019162290.tif 000013
【図１２】
2019162290.tif 000014
【図１３】
2019162290.tif 000015
【図１４】
2019162290.tif 000016
【図１５】
2019162290.tif 000017
【図１６】
2019162290.tif 000018
【図１７】
2019162290.tif 000019